(57)【要約】      （修正有）【課題】カメラ本体がより軽薄短小になり、また、より容易に携帯や収納される効果が実現される回転スクリーンを提供する。【解決手段】カメラ本体１は、レンズ、シャッター１２、複数の制御ボタン及びカメラ本体１の内部に設置される制御回路が含有され、カメラ本体１の適当な位置には収納空間１５があり、収納空間１５の両側壁には、夫々、接合部１６がある。表示ユニット２は、可動的に、収納空間１５の中に設置され、リードを介して、カメラ本体１内の制御回路と接続され、両側には、夫々、接合部１６と可動的に接合するための連接部２１がある。【選択図】図２
0003109073.tif 000002
【実用新案登録請求の範囲】
【請求項１】
レンズ、シャッター、複数の制御ボタン、内部に設置される制御回路とが含有され、適当な位置に収納空間があり、両端面には当該収納空間が貫通し、当該収納空間の両側壁には、夫々、接合部がある、カメラ本体と、
可動的に上記の収納空間の中に設置され、両側には、夫々、上記の接合部と可動的に接合するための連接部がある、表示ユニットと、が含有される、ことを特徴とする、回転スクリーン。
【請求項２】
当該接合部は、軸桿であるか、貫通穴である、ことを特徴とする、請求項１に記載の回転スクリーン。
【請求項３】
当該収納空間と当該表示ユニットとの間には、夫々、位置付け部が設置され、当該位置付け部は、夫々、当該接合部と当該連接部との近くの位置に設置される、ことを特徴とする、請求項１に記載の回転スクリーン。
【請求項４】
当該収納空間と当該表示ユニットとの間には、夫々、位置付け部が設置され、当該位置付け部は、夫々、当該収納空間と当該表示ユニットとの両側縁上に設置される、ことを特徴とする、請求項１に記載の回転スクリーン。
【請求項５】
当該カメラ本体内の制御回路は、リードにより当該表示ユニットと接続される、ことを特徴とする、請求項１に記載の回転スクリーン。
【請求項６】
当該表示ユニットはTFT-LEDである、ことを特徴とする、請求項１に記載の回転スクリーン。
【請求項７】
当該表示ユニットはOLEDである、ことを特徴とする、請求項１に記載の回転スクリーン。
【請求項８】
、当該表示ユニットはLEDである、ことを特徴とする、請求項１に記載の回転スクリーン。
【請求項９】
当該表示ユニットはLCDである、ことを特徴とする、請求項１に記載の回転スクリーン。
【請求項１０】
当該表示ユニットはタッチスクリーンである、ことを特徴とする、請求項１に記載の回転スクリーン。
【請求項１１】
当該連接部は、軸桿であるか、貫通穴である、ことを特徴とする、請求項１に記載の回転スクリーン。
【考案の詳細な説明】
【技術分野】
【０００１】
本考案は、回転スクリーンに関し、特に、カメラ本体がより軽薄短小になり、また、より容易に携帯や収納される効果が実現されるものに関する。
【背景技術】
【０００２】
一般に、従来のディジタルカメラ３は、図８に示すようであり、当該ディジタルカメラ３は、レンズ３１と、表示幕３２と、シャッター３３と、制御ボタン３４とからなり、当該ディジタルカメラ３の頂端には、二つの対応する支持ブレース３５が設置され、当該二つの支持ブレース３５の間には当該レンズ３１が設置され、当該レンズ３１は枠体３６の中に設置され、当該枠体３６は、両側にある短軸と当該二つの支持ブレース３５上の貫通穴によって、可動的に接合されることにより（図示せず）、当該レンズ３１が回転できるディジタルカメラ３が形成され、ユーザーが自身を撮影する機能が実現される。
【０００３】
上記のディジタルカメラ３は、当該レンズ３１が回転できるため、ユーザーが自身を撮影する機能が実現されるが、当該ディジタルカメラ３において、元のレンズ３１が他の当該枠体３６の中に設置されて、更に、当該二つの支持ブレース３５上に設置されるため、当該ディジタルカメラ３の全体としての構成はより複雑になり、製造コストが高く付くだけでなく、当該全体の構成からいえば、当該ディジタルカメラ３の体積も、その構造のため、より厚く重くなり、
また、当該レンズ３１が映像を捕捉するキーポイントであるため、当該レンズ３１が長時間に回転して使用されると、当該枠体３６と当該二つの支持ブレース３５の摩損が発生して弛んでしまい、当該レンズ３１を所定な位置に保持できず、ユーザーが映像を捕捉する時、振動や傾斜が生じて、より良い映像が得られなくなる。そのため、一般の、従来のディジタルカメラは、十分に、ユーザーの実用性があるとは言えない。
【考案の開示】
【考案が解決しようとする課題】
【０００４】
本考案の主な目的は、回転構成の複雑度や製造コストを低減でき、そして、より薄い回転スクリーン構造を提供する。
【課題を解決するための手段】
【０００５】
本考案の回転スクリーンは、レンズ、シャッター、複数の制御ボタン、内部に設置される制御回路とが含有され、適当な位置に収納空間があり、両端面には当該収納空間が貫通し、当該収納空間の両側壁には、夫々、接合部がある、カメラ本体と、可動的に上記の収納空間の中に設置され、両側には、夫々、上記の接合部と可動的に接合するための連接部がある、表示ユニットと、が含有される、ことを特徴とする。
【考案の効果】
【０００６】
カメラ本体がより軽薄短小になり、また、より容易に携帯や収納される効果が実現される。
【考案を実施するための最良の形態】
【０００７】
図１、２、３、４は、それぞれ本考案の立体外観概念図、本考案の立体分解概念図、本考案の実施例概念図及び本考案の他の実施例概念図である。図に示すように、本考案は、カメラ本体１と、表示ユニット２とからなる回転スクリーンであり、当該カメラ本体がより軽薄短小になり、また、より容易に携帯や収納できる効果が実現される。
【０００８】
上記のカメラ本体１は、レンズ１１、シャッター１２、複数の制御ボタン１３及び当該カメラ本体１の内部に設置される制御回路１４が含有され、当該カメラ本体１の適当な位置には収納空間１５があり、当該カメラ本体１の両端面には当該収納空間１５が貫通し、当該収納空間１５の両側壁には、夫々、接合部１６があり、当該接合部１６は軸桿１６１（図３参照のこと）であるか、貫通穴１６２（図４参照のこと）である。
【０００９】
当該表示ユニット２は、TFT-LEDやOLED、LED、LCD或いはタッチスクリーンであり、当該表示ユニット２は、可動的に、上記の収納空間１５の中に設置され、当該表示ユニット２は、リード１７を介して、当該カメラ本体１内の制御回路１４と接続され、また、当該表示ユニット２の両側には、夫々、上記の接合部１６と可動的に接合するための連接部２１があり、当該連接部２１は、当該接合部１６に合せて、貫通穴２１１（図３参照のこと）であってもいいし、軸桿２１２（図４参照のこと）でもよく、当該収納空間１５と当該表示ユニット２の間には、夫々、位置付け部１８、２２が設置され、当該位置付け部１８、２２は、夫々、当該接合部１６と当該連接部２１との近くの位置（図３参照のこと）に設置されるか、夫々、当該収納空間１５と当該表示ユニット２の両側縁上（図４参照のこと）に設置される。上記の構造により、新しい回転スクリーンが構成される。
【００１０】
図５、６は、本考案の使用状態概念図である。図示のように、ユーザーが本考案を使用して撮影する時、実際状況に応じて（例えば、自身の撮影や団体の撮影）、当該表示ユニット２を回転（回転は、必要に応じて、360°の回転ができる）することにより、元に、当該レンズ１１と異なる面にある当該表示ユニット２上の表示区２３は当該レンズ１１と同一面になり、そして、当該収納空間１５と当該表示ユニット２との間にある位置付け部１８、２２により、位置付けされ、当該表示ユニット２は必要とする位置や角度に固定され、当該レンズ１１に面するユーザーは、当該表示ユニット２上の表示区２３を介して、周囲の環境をはっきり把握でき、そして、必要とする映像がレンズ１１に捕捉されるかを確認できる。
【００１１】
図７は、本考案の他の実施例概念図である。図示のように、当該表示ユニット２aはタッチスクリーンであってもいいから、当該表示ユニット２aが回転される時、当該表示ユニット２aの制御ボタン２４が当該レンズ１１と同一面に回転されることにより、当該制御ボタン２４が回転され、ユーザーの操作が容易になる効果が実現される。
【００１２】
以上の説明のように、本考案に係わる回転スクリーンは、当該カメラ本体がより軽薄短小になり、また、より容易に携帯や収納される効果が実現されることにより、本考案は、より進歩的且つより実用的で、ユーザーの需要を満足できるものであるため、実用新案登録の要件を満たすから、法に従って、実用新案登録出願する。
【００１３】
以上の説明は、ただ、本考案のより良い実施例であり、本考案の登録請求の範囲は、それにより制限されるものではないため、本考案の登録請求の範囲や明細書の内容に従って、簡単な等価変化や修正は、すべてが、本考案の登録請求の範囲に含まれている。
【図面の簡単な説明】
【００１４】
【図１】本考案の立体外観概念図である。
【図２】本考案の立体分解概念図である。
【図３】本考案の実施例概念図である。
【図４】本考案の他の実施例概念図である。
【図５】本考案の使用状態概念図である。
【図６】本考案の使用状態概念図である。
【図７】本考案の他の実施例概念図である。
【図８】従来の立体外観概念図である。
【符号の説明】
【００１５】
（本考案部分）
１    カメラ本体
１１  レンズ
１２  シャッター
１３  制御ボタン
１４  制御回路
１５  収納空間
１６  接合部
１７  リード
１８  位置付け部
２、２ａ  表示ユニット
２１  連接部
２２  位置付け部
２３  表示区
２４  制御ボタン
（従来の部分）
３    ディジタルカメラ
３１  レンズ
３２  表示幕
３３  シャッター
３４  制御ボタン
３５  支持ブレース
３６  枠体
【図１】
0003109073.tif 000003
【図２】
0003109073.tif 000004
【図３】
0003109073.tif 000005
【図４】
0003109073.tif 000006
【図５】
0003109073.tif 000007
【図６】
0003109073.tif 000008
【図７】
0003109073.tif 000009
【図８】
0003109073.tif 000010